(57)【要約】【課題】紐状体に対する留め付け状態の解除を、より容易になせるようにする。【解決手段】雄部材２を雌部材３に対し、付勢に抗して少なくとも所定位置まで押し込み可能に組み合わせてなると共に、この所定位置において連通し合う雄部材２の側部貫通穴２０と雌部材３の側部貫通穴３０とに挿通された紐状体５に雄部材２の前記押し込みを解くことで留め付く留め具１である。雄部材２には、操作用長尺体６の取付部が備えられており、この操作用長尺体６の操作により雄部材２が前記付勢に抗して所定位置に移動されるようになっていると共に、雌部材３には、装備対象物への位置づけ手段３６が形成されている。【選択図】図１
2011019622.tif 000002
【特許請求の範囲】
【請求項１】
雄部材を雌部材に対し、付勢に抗して少なくとも所定位置まで押し込み可能に組み合わせてなると共に、この所定位置において連通し合う雄部材の側部貫通穴と雌部材の側部貫通穴とに挿通された紐状体に雄部材の前記押し込みを解くことで留め付く留め具であって、
雄部材には、操作用長尺体の取付部が備えられており、この操作用長尺体の操作により雄部材が前記付勢に抗して前記所定位置に移動されるようになっていると共に、
雌部材には、装備対象物への位置づけ手段が形成されていることを特徴とする紐状体の留め具。
【請求項２】
位置づけ手段は、雌部材の側部に形成された、装備対象物に備えられる長尺体の通し部であることを特徴とする請求項１に記載の紐状体の留め具。
【請求項３】
雌部材の側部に、二箇所の通し部が形成されていることを特徴とする請求項２に記載の紐状体の留め具。
【発明の詳細な説明】
【技術分野】
【０００１】
この発明は、紐状体を通した状態でこの紐状体の所望の位置に留め付けて用いられる留め具の改良に関する。
【背景技術】
【０００２】
一般にコードロックと称される紐状体に対する留め具がある。かかる留め具は、それぞれ紐状体を挿通させる貫通穴を備えた雌部材及び雄部材と、この雄部材を雌部材内から抜け出させる向きに付勢する付勢手段とからなる。そして、この付勢手段の付勢により、雄部材の押し込み操作が停止されたときに、雌部材の貫通穴と雄部材の貫通穴とに抵抗無く、あるいは抵抗少なく紐状体を挿通させた非留め付け位置から雄部材を移動させて、位置のずれた雌部材の貫通穴と雄部材の貫通穴とにより紐状体に留め付くようになっている。しかるに、かかる留め具を、例えば、手袋を装備対象物としてこの手袋の開口部の絞り紐に留め付けた場合、雄部材の押し込み操作を手袋をつけた他方の手では行い難い場合がある。こうしたことから、雄部材の内奥部にさらに手袋に止着させた引き紐を取り付けるようにした留め具が提案されている。（特許文献１参照）かかる留め具によれば、引き紐の引き操作によっても雄部材を前記非留め付け位置に移動させることができ、これにより絞り紐への留め具の留め付け位置を変えて絞り紐による絞りを緩めることも可能となるが、手袋に対して雌部材は遊びを持つため、引き紐を単純に引いただけではこの絞り紐への留め具の留め付け状態を解除し難い場合もある。
【先行技術文献】
【特許文献】
【０００３】
【特許文献１】実公平５−２０９０号公報
【発明の概要】
【発明が解決しようとする課題】
【０００４】
この発明が解決しようとする主たる問題点は、この種の留め具において、紐状体に対する留め付け状態の解除を、より容易になせるようにする点にある。
【課題を解決するための手段】
【０００５】
前記課題を達成するために、この発明にあっては、紐状体の留め具を、雄部材を雌部材に対し、付勢に抗して少なくとも所定位置まで押し込み可能に組み合わせてなると共に、この所定位置において連通し合う雄部材の側部貫通穴と雌部材の側部貫通穴とに挿通された紐状体に雄部材の前記押し込みを解くことで留め付く留め具であって、
雄部材には、操作用長尺体の取付部が備えられており、この操作用長尺体の操作により雄部材が前記付勢に抗して前記所定位置に移動されるようになっていると共に、
雌部材には、装備対象物への位置づけ手段が形成されているものとした。
【０００６】
かかる留め具にあっては、雌部材の位置づけ手段により、装備対象物における留め具の配置位置に雌部材を位置づけさせておくことができる。これにより、第一に、雄部材自体を前記所定位置まで押し込んで又は紐状体を雄部材を前記所定位置まで押し込ませる大きさの力で引っ張ってこの紐状体への留め具の留め付けを解く操作を雌部材を押さえつけなくてもなすことができる。また、第二に、操作用長尺体を引っ張って雄部材を前記所定位置まで引き込む操作も雌部材を押さえつけなくても、容易にこれをなすことができる。
【０００７】
かかる位置づけ手段を、雌部材の側部に形成された装備対象物に備えられる長尺体の通し部としておけば、雄部材の押し込み方向に交叉する向きに装備対象物に備えられるかかる長尺体をもって、この押し込みに追随して雌部材が逃げるように移動しないように、装備対象物に雌部材を安定的に位置づけさせることができる。また、かかる通し部を雌部材の側部に二箇所形成させておけば、二箇所の通し部の一方に通して引き出された前記長尺体をこの二箇所の通し部の他方に通すことで、雌部材をより安定的に装備対象物に位置づけさせることができると共に、長尺体の長さ方向への雌部材の移動調整はできるようにすることができる。
【発明の効果】
【０００８】
この発明によれば、この種の留め具の紐状体に対する留め付け状態の解除を、一層容易になすことができる。
【図面の簡単な説明】
【０００９】
【図１】図１は留め具の使用状態を示した正面図である。
【図２】図２は留め具の使用状態を示した平面図である。
【図３】図３は図１におけるＡ−Ａ線位置での断面図である。
【図４】図４は図１におけるＢ−Ｂ線位置での断面図である。
【図５】図５は留め具の正面図である。
【図６】図６は留め具の背面図である。
【図７】図７は留め具の平面図である。
【図８】図８は留め具の底面図である。
【図９】図９は留め具の右側面図である。
【図１０】図１０は図５におけるＣ−Ｃ線位置での断面図である。
【図１１】図１１は図５におけるＤ−Ｄ線位置での断面図である。
【図１２】図１２は雌部材の正面図である。
【図１３】図１３は雌部材の背面図である。
【図１４】図１４は雌部材の平面図である。
【図１５】図１５は雌部材の底面図である。
【図１６】図１６は雌部材の右側面図である。
【図１７】図１７は図１６におけるＧ−Ｇ線位置での断面図である。
【図１８】図１８は図１２におけるＥ−Ｅ線位置での断面図である。
【図１９】図１９は図１２におけるＦ−Ｆ線位置での断面図である。
【図２０】図２０は雄部材の正面図である。
【図２１】図２１は雄部材の背面図である。
【図２２】図２２は雄部材の右側面図である。
【図２３】図２３は図２２におけるＫ−Ｋ線位置での断面図である。
【図２４】図２４は雄部材の平面図である。
【図２５】図２５は雄部材の底面図である。
【図２６】図２６は図２０におけるＪ−Ｊ線位置での断面図である。
【図２７】図２７は図２０におけるＨ−Ｈ線位置での断面図である。
【図２８】図２８は図２０におけるＩ−Ｉ線位置での断面図である。
【発明を実施するための形態】
【００１０】
以下、図１〜図２８に基づいて、この発明の典型的な実施の形態について、説明する。この実施の形態にかかる留め具１は、紐状体５を通した状態でこの紐状体５の所望の位置に留め付けて用いられるものである。かかる留め具１は、典型的には、絞り紐や引き締め紐の装備対象物からの引き出し箇所に備えられて、この絞り紐などに対して留め付く位置を変えることで、装備対象物の絞り込む箇所を巡る絞り紐などの長さを変えて、この箇所を締めたり、あるいは緩めたりするために用いられる。かかる留め具１は、一般には、コードロックなどとも称される。装備対象物としては、こうした紐状体５を備えるものであれば、どのようなものでも構わない。利用頻度の高い装備対象物としては、被服やかばん類、袋物などがあげられる。また、この実施の形態にかかる留め具１は、前記絞り紐などとして利用され得る紐状体５であればそれに留め付け可能であり、留め付け対象となる紐状体５の材質や性状を限定するものではない。
【００１１】
かかる留め具１は、雄部材２と雌部材３とを備えてなる。かかる雄部材２は雌部材３に対し、付勢に抗して少なくとも所定位置まで押し込み可能に組み合わされている。それと共に、この所定位置において連通し合う雄部材２の側部貫通穴２０と雌部材３の側部貫通穴３０とに挿通された紐状体５に雄部材２の前記押し込み（あるいは、後述の操作用長尺体６を利用した引き込み操作による押し込み状態）を解くことで留め付くように構成されている。
【００１２】
紐状体５の挿通される側部貫通穴２０、３０は、二箇所以上設けられていても良い。図示の例では、かかる側部貫通穴２０、３０は、雄部材２の押し込み方向に直交する向きに二箇所設けられている。これにより、図示の例では、一本の紐状体５における図示しない装備対象物から引き出された両端部を同時に一つの留め具１に挿通してこれに対する留め付けをなすことができるようになっている。
【００１３】
図示の例では、雌部材３は、幅広の前面部３１及び背面部３２と、幅狭の左右両側面部３３、３３とを備えた扁平筒状をなすように構成されている。この雌部材３の筒両端は共に開放されている。
【００１４】
雄部材２は、筒状頭部２１と、脚部２２とを備えている。筒状頭部２１は、雄部材２の押し込み方向に直交する向きの断面外郭形状を、この向きにおける雌部材３の断面内郭形状に倣わせている。すなわち、筒状頭部２１も、幅広の前面部２１ａ及び背面部２１ｂと、幅狭の左右両側面部２１ｃ、２１ｃとを備えた扁平筒状をなすように構成されている。また、筒状頭部２１は、筒一端が閉塞され、筒他端が開放されている。この筒状頭部２１の閉塞された筒一端が前記押し込みをなすときの操作部２１ｄとなっている。脚部２２は、筒状頭部２１の背面部２１ｂに連続してこの筒状頭部２１の筒他端からさらに前記押し込み方向に延びる板状をなすように構成されている。
【００１５】
雌部材３は、その筒一端と筒他端との間に、仕切り板部３４を備えている。仕切り板部３４は、前面部３１の内面から背面部３２側に突き出している。雌部材３の背面部３２は、筒他端からこの仕切り板部３４の突きだし端の近傍までの間において切除されて背面開放部３５が形成されている。
【００１６】
雄部材２は、雌部材３の筒一端から脚部２２を先にしてこの雌部材３内に納められて、雌部材３と組み合わされている。雄部材２の筒状頭部２１の前面部２１ａは雌部材３の前面部３１の内面に案内され、雄部材２の筒状頭部２１の背面部２１ｂは雌部材３の背面部３２の内面に案内され、雄部材２の筒状頭部２１の側面部２１ｃは雌部材３の側面部３３の内面に案内されるようになっている。筒状頭部２１の筒両端間の寸法は、雌部材３の筒一端から仕切り板部３４までの寸法と略等しくなっており、雄部材２は前記付勢に抗して最大で、筒状頭部２１の筒他端がこの仕切り板部３４に突き当たる位置まで押し込めるようになっている。脚部２２は、仕切り板部３４と雌部材３の背面部３２との間から雌部材３の筒他端側に延びだしており、前記背面開放部３５に臨んでいる。
【００１７】
雄部材２では、側部貫通穴２０は、筒状頭部２１の前面部２１ａと背面部２１ｂとにおいてそれぞれ、この筒状頭部２１の左右方向の中程の位置を挟んだ両側にそれぞれ形成されている。かかる側部貫通穴２０は、丸穴となっていると共に、前面部２１ａに形成されている側部貫通穴２０の中心と背面部２１ｂに形成されている側部貫通穴２０の中心は、雄部材２の押し込み方向に直交する仮想の同一の直線上に位置されるようになっている。
【００１８】
一方、雌部材３では、側部貫通穴３０は、その前面部３１と背面部３２とにおいてぞれぞれ、前記仕切り板部３４と筒一端との間において、この雌部材３の左右方向の中程の位置を挟んだ両側にそれぞれ形成されている。かかる側部貫通穴３０は、丸穴部３０ａとこの丸穴部３０ａにおけるその筒他端側を切り欠いて形成された補助穴部３０ｂとから構成されている。前面部３１に形成されている側部貫通穴３０の丸穴部３０ａの中心と背面部３２に形成されている側部貫通穴３０の丸穴部３０ａの中心は、雄部材２の押し込み方向に直交する仮想の同一の直線上に位置されるようになっている。
【００１９】
また、図示の例では、雄部材２の筒状頭部２１における左右の側部貫通穴３０、３０の間に、圧縮コイルバネ４の保持部２１ｅが形成されている。そして、図示の例では、この保持部２１ｅにバネの中心軸を雄部材２の押し込み方向に沿わせるようにして保持された圧縮コイルバネ４のバネ一端が雄部材２の筒状頭部２１の操作部２１ｄの内面に当接され、かつ、この圧縮コイルバネ４のバネ他端が仕切り板部３４に当接されるようになっている。かかる保持部２１ｅは、図示の例では、筒状頭部２１の前面部２１ａと背面部２１ｂの内面にそれぞれ形成されたかかる圧縮コイルバネ４の巻回部の外形に倣った弧状凹部２１ｆにより構成されている。そして、この実施の形態にあっては、かかる圧縮コイルバネ４を圧縮しながら仕切り板部３４に筒状頭部２１の筒他端が接する位置まで雌部材３内に雄部材２を押し込むことができるようになっている。
【００２０】
図示の例では、雄部材２の筒状頭部２１における側部貫通穴２０とこの筒状頭部２１の筒他端との間に、前面部２１ａと背面部２１ｂとにおいてそれぞれ、抜け止め突部２１ｇが形成されている。図示の例では、前記圧縮コイルバネ４を保持部２１ｅに保持させた状態から、雄部材２を雌部材３内に抜け止め突部２１ｇが雌部材３の側部貫通穴３０に入り込む位置まで入れ込ませることで、かかる圧縮コイルバネ４の付勢にかかわらず、抜け止め突部２１ｇを雌部材３の側部貫通穴３０における雌部材３の筒一端（図５の上側に位置される雌部材３の筒端）側の穴縁に引っかける位置より先に雄部材２が突出されないようになっている。抜け止め突部２１ｇにおける雄部材２の筒状頭部２１の筒他端側に向けられた側には傾斜面２１ｈが形成されており、雌部材３に雄部材２を組み合わせるときに、この傾斜面２１ｈにより雄部材２の筒状頭部２１はやや弾性的に窄められ且つ雌部材３はやや弾性的に広げられて、この組み合わせはスムースになされるようになっている。また、図示の例では、前記仕切り板部３４に筒状頭部２１の筒他端が接する位置まで雌部材３内に雄部材２を押し込んだときには、雌部材３の側部貫通穴３０の前記補助穴部３０ｂに前記抜け止め突部２１ｇが入り込むようになっている。
【００２１】
また、雄部材２には、操作用長尺体６の取付部が備えられており、この操作用長尺体６の操作により雄部材２は前記付勢に抗して所定位置に移動されるようになっている。かかる操作用長尺体６は典型的には雄部材２にのみ取り付けられてその引き手となるように構成される。また、かかる操作用長尺体６は留め具１の装備対象物に一端を止着などされてかかる留め具１を装備対象物に繋ぐ繋留体として構成されることもある。
【００２２】
図示の例では、雄部材２の脚部２２に、雄部材２の押し込み方向に略直交する向きに長いスロット２２ａが形成されており、帯状をなす操作用長尺体６を雌部材３の背面開放部３５を利用してこのスロット２２ａに通して雄部材２に取り付けることができるようになっている。すなわち、図示の例では、かかるスロット２２ａが前記取付部として機能するようになっている。
【００２３】
また、雌部材３には、装備対象物への位置づけ手段３６が形成されている。この実施の形態にあっては、かかる位置づけ手段３６は、雌部材３の側部に形成された、装備対象物に備えられる長尺体７の通し部３６ｂとなっている。かかる通し部３６ｂは、雌部材３の側部に、二箇所形成されている。図示の例では、雌部材３は、その左右両面部にそれぞれ耳状部３６ａを備えている。この耳状部３６ａの背面は雌部材３の背面部３２と同面上に位置し、耳状部３６ａの前面と雌部材３の前面部３１との間には間隔が形成されている。そして、図示の例では、かかる耳状部３６ａにそれぞれ、この耳状部３６ａを前後方向に貫通し、かつ、雄部材２の押し込み方向に長いスロット状をなす前記通し部３６ｂが形成されている。
【００２４】
この実施の形態にかかる留め具１にあっては、雌部材３の位置づけ手段３６により、装備対象物における留め具１の配置位置に雌部材３を位置づけさせておくことができる。これにより、第一に、雄部材２自体を前記所定位置まで押し込んで又は紐状体５を雄部材２を前記所定位置まで押し込ませる大きさの力で引っ張って留め具１のこの紐状体５への留め付けを解く操作を雌部材３を押さえつけなくてもなすことができる。また、第二に、操作用長尺体６を引っ張って雄部材２を前記所定位置まで引き込む操作も雌部材３を押さえつけなくても、容易にこれをなすことができる。
【００２５】
通し部３６ｂは、雌部材３の側部、すなわち側面部３３に形成されていることから、雄部材２の押し込み方向に交叉する向きに装備対象物に備えられる長尺体７、図示の例では帯状体をもって、この押し込みに追随して雌部材３が逃げるように移動しないように、装備対象物に雌部材３を安定的に位置づけさせることができる。また、図示の例では、通し部３６ｂは雌部材３の側部に二箇所形成されていることから、二箇所の通し部３６ｂの一方に通して引き出された前記長尺体７をこの二箇所の通し部３６ｂの他方に通すことで、雌部材３をより安定的に装備対象物に位置づけさせることができると共に、長尺体７の長さ方向への雌部材３の移動調整はできるようになっている。
【００２６】
図示の例では、雌部材３の左側の通し部３６ｂに雌部材３の背面部３２側から通された長尺体７としての帯状体を、雌部材３の前面部３１側から雌部材３の右側の通し部３６ｂに通して再び背面部３２側に引き出して、この長尺体７としての帯状体と装備対象物との間で雌部材３を挟み付けるようにして装着対象物の所定位置に雌部材３を位置づけるようにしている。
【符号の説明】
【００２７】
１  留め具
２  雄部材
２０  側部貫通穴
３  雌部材
３０  側部貫通穴
３６  位置づけ手段
６  操作用長尺体
【図１】
2011019622.tif 000003
【図２】
2011019622.tif 000004
【図３】
2011019622.tif 000005
【図４】
2011019622.tif 000006
【図５】
2011019622.tif 000007
【図６】
2011019622.tif 000008
【図７】
2011019622.tif 000009
【図８】
2011019622.tif 000010
【図９】
2011019622.tif 000011
【図１０】
2011019622.tif 000012
【図１１】
2011019622.tif 000013
【図１２】
2011019622.tif 000014
【図１３】
2011019622.tif 000015
【図１４】
2011019622.tif 000016
【図１５】
2011019622.tif 000017
【図１６】
2011019622.tif 000018
【図１７】
2011019622.tif 000019
【図１８】
2011019622.tif 000020
【図１９】
2011019622.tif 000021
【図２０】
2011019622.tif 000022
【図２１】
2011019622.tif 000023
【図２２】
2011019622.tif 000024
【図２３】
2011019622.tif 000025
【図２４】
2011019622.tif 000026
【図２５】
2011019622.tif 000027
【図２６】
2011019622.tif 000028
【図２７】
2011019622.tif 000029
【図２８】
2011019622.tif 000030